(57)【要約】【課題】簡単な構成でブロワーとして利用することができる掃除機を提供する。【解決手段】掃除機は、管体と、管体に対して着脱自在に設けられた後部を有した本体と、を備え、外郭をなすケース部と、前記ケース部に収納され、吸引風を発生させる電動送風部と、前記ケース部に設けられ、前記管体の延長線上において前記ケース部の後方側に設けられた後端部と前記本体の前部よりも前記本体の前方側に設けられた前端部とを有し、前記後端部から前記前端部にかけて連続的に形成されたハンドル部と、前記ハンドル部の前記前端部に設けられ、前記電動送風部からの空気を吹き出す排気部と、を備えた。【選択図】図１４
2018108228.tif 000002
【特許請求の範囲】
【請求項１】
管体と、
管体に対して着脱自在に設けられた後部を有した本体と、
を備え、
外郭をなすケース部と、
前記ケース部に収納され、吸引風を発生させる電動送風部と、
前記ケース部に設けられ、前記管体の延長線上において前記ケース部の後方側に設けられた後端部と前記本体の前部よりも前記本体の前方側に設けられた前端部とを有し、前記後端部から前記前端部にかけて連続的に形成されたハンドル部と、
前記ハンドル部の前記前端部に設けられ、前記電動送風部からの空気を吹き出す排気部と、
を備えた掃除機。
【請求項２】
前記排気部は、ホースが接続し得るように形成された請求項１に記載の掃除機。
【請求項３】
前記排気部は、前記管体が接続し得るように形成された請求項１または請求項２に記載の掃除機。
【請求項４】
前記排気部に対して開閉自在に設けられた格子部、
を備えた請求項１から請求項３のいずれか１項に記載の掃除機。
【請求項５】
前記格子部は、閉じている状態において前記電動送風部からの空気の吹き出し方向が前記ケース部の前方側かつ下方側となるように形成された請求項４に記載の掃除機。
【請求項６】
前記排気部は、前記格子部が開いた状態においてホースまたは前記管体が接続し得るように形成された請求項４または請求項５に記載の掃除機。
【発明の詳細な説明】
【技術分野】
【０００１】
この発明は、掃除機に関する。
【背景技術】
【０００２】
特許文献１は、掃除機を開示する。当該掃除機は、スティック型掃除機として利用される。
【先行技術文献】
【特許文献】
【０００３】
【特許文献１】特許第３５３１１５６号公報
【発明の概要】
【発明が解決しようとする課題】
【０００４】
しかしながら、特許文献１に記載の掃除機は、ブロワーとして利用できない。このため、当該掃除機の利用範囲は限られる。
【０００５】
この発明は、上述の課題を解決するためになされた。この発明の目的は、簡単な構成でブロワーとして利用することができる掃除機を提供することである。
【課題を解決するための手段】
【０００６】
この発明に係る掃除機は、管体と、管体に対して着脱自在に設けられた後部を有した本体と、を備え、外郭をなすケース部と、前記ケース部に収納され、吸引風を発生させる電動送風部と、前記ケース部に設けられ、前記管体の延長線上において前記ケース部の後方側に設けられた後端部と前記本体の前部よりも前記本体の前方側に設けられた前端部とを有し、前記後端部から前記前端部にかけて連続的に形成されたハンドル部と、前記ハンドル部の前記前端部に設けられ、前記電動送風部からの空気を吹き出す排気部と、を備えた。
【発明の効果】
【０００７】
この発明によれば、排気部は、ハンドル部の前端部に設けられる。このため、簡単な構成で掃除機をブロワーとして利用することができる。
【図面の簡単な説明】
【０００８】
【図１】この発明の実施の形態１における掃除機システムの例を示す側面図である。
【図２】この発明の実施の形態１における掃除機システムの例を示す斜視図である。
【図３】この発明の実施の形態１における掃除機システムの掃除機を前方から見た際の正面図である。
【図４】この発明の実施の形態１における掃除機システムの掃除機を後方から見た際の正面図である。
【図５】この発明の実施の形態１における掃除機システムの掃除機の側面図である。
【図６】この発明の実施の形態１における掃除機システムの掃除機の要部の縦断面図である。
【図７】この発明の実施の形態１における掃除機システムの掃除機の斜視図である。
【図８】この発明の実施の形態１における掃除機システムの掃除機の側面図である。
【図９】この発明の実施の形態１における掃除機システムの掃除機の要部の側面図である。
【図１０】この発明の実施の形態１における掃除機システムの掃除機の要部の側面図である。
【図１１】この発明の実施の形態１における掃除機システムの掃除機の斜視図である。
【図１２】この発明の実施の形態１における掃除機システムの掃除機の斜視図である。
【図１３】この発明の実施の形態１における掃除機システムの掃除機の要部の縦断面図である。
【図１４】この発明の実施の形態１における掃除機システムの掃除機の要部の斜視図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における掃除機システムの例を示す側面図である。図２はこの発明の実施の形態１における掃除機システムの例を示す斜視図である。図３はこの発明の実施の形態１における掃除機システムの掃除機を前方から見た際の正面図である。図４はこの発明の実施の形態１における掃除機システムの掃除機を後方から見た際の正面図である。図５はこの発明の実施の形態１における掃除機システムの掃除機の側面図である。図１と図２とにおいて、掃除機３を用いた掃除が行われる際の掃除機３の前後方向は、矢印で示される。
【００１１】
図１と図２とに示されるように、掃除機システム１は、支持装置２と掃除機３とを備える。例えば、支持装置２は、居室の床面に置かれる。例えば、掃除機３は、スティック型の掃除機である。掃除機３は、掃除が行われる際に支持装置２から取り外される。掃除機３は、掃除が終了した後に進行方向を維持したまま支持装置２に取り付けられる。その結果、掃除機３は、後部を意匠面として配置される。
【００１２】
例えば、支持装置２は、基体４と支持体５と保持体６とを備える。
【００１３】
基体４は、支持装置２の中で最も下方に配置される。例えば、基体４は、居室の壁際の床面に置かれる。例えば、支持体５は、柱状である。例えば、支持体５の下端部は、基体４に固定される。保持体６は、基体４より上方に配置される。例えば、保持体６は、支持体５の中間部に支持される。
【００１４】
図３から図５に示されるように、掃除機３は、吸い込み具７と管体８と本体９とを備える。
【００１５】
吸い込み具７は、図示されない開口を備える。掃除機３が支持装置２に取り付けられる際、吸い込み具７は、支持装置２の基体４に支持される。例えば、管体８は、一直線状に形成される。管体８の一端部は、吸い込み具７の幅方向の中間部に対して着脱自在に設けられる。本体９の後部は、管体８の他端部に対して着脱自在に設けられる。例えば、本体９の後部は、図示されないラッチにより管体８の他端部との接続を維持する。本体９の重心は、管体８よりも前方側となる。
【００１６】
次に、図６を用いて、掃除機３を説明する。
図６はこの発明の実施の形態１における掃除機システムの掃除機の要部の縦断面図である。図６において、掃除機３を用いた掃除が行われる際の掃除機３の前後方向は、矢印で示される。
【００１７】
図６に示されるように、掃除機３において、本体９は、ケース部１０とハンドル部１１と電動送風部１２と集塵部１３とフィルタ部１４と排気部１５と格子部１６と操作部１７と制御部１８と電源部１９とを備える。
【００１８】
ケース部１０は、外郭をなす。ハンドル部１１は、ケース部１０の前端部から後端部にかけて連続的に形成される。ハンドル部１１の後端部と前端部とは、平行に設けられる。ハンドル部１１の中間部は、ケース部１０の天面の上方においてハンドル部１１の後端部と前端部とに対して湾曲して連結される。ハンドル部１１の中間部は、上側に凸となるように形成される。ハンドル部１１の後端部は、管体８の延長線上においてケース部１０の後方側に設けられる。ハンドル部１１の前端部は、ケース部１０の前部よりもケース部１０の前方側に設けられる。例えば、ハンドル部１１の前端部は、ケース部１０の前部に設けられた凸部に連結される。
【００１９】
電動送風部１２は、ケース部１０に収納される。集塵部１３は、ケース部１０の下部に対して着脱自在に設けられる。集塵部１３は、電動送風部１２の下方に設けられる。集塵部１３の前方側の一部は、透明である。集塵部１３の前記前方側の一部以外の少なくとも一部は、透明でない。フィルタ部１４は、ケース部１０に収納される。フィルタ部１４は、電動送風部１２と集塵部１３との間に設けられる。排気部１５は、ハンドル部１１の前端部に設けられる。格子部１６は、排気部１５に対して開閉自在に設けられる。
【００２０】
操作部１７は、ケース部１０の天面に設けられる。例えば、操作部１７は、複数の操作スイッチである。制御部１８は、ケース部１０に収納される。制御部１８は、電動送風部１２の直上に設けられる。電源部１９は、ハンドル部１１の後端部の下方においてケース部１０の後部に収納される。
【００２１】
掃除機３の利用者は、ハンドル部１１を持つ。当該利用者は、ハンドル部１１を持った手で図示されない操作部１７を操作する。制御部１８は、電源部１９からの電力を利用して操作部１７への操作内容に基づいて電動送風部１２の動作を制御する。例えば、制御部１８は、電動送風部１２が停止している状態において操作スイッチの一方が押された際に電動送風部１２を動作させる。例えば、制御部１８は、電動送風部１２が動作している状態において操作スイッチの一方が押された際に電動送風部１２を停止させる。例えば、制御部１８は、電動送風部１２が動作している状態において操作スイッチの他方が押された際に電動送風部１２の回転数を変更する。
【００２２】
電動送風部１２が動作すると、吸引風が発生する。当該吸引風により、図６においては図示されない吸い込み具７の開口から空気が吸い込まれる。その後、当該空気は、管体８の内部を通過する。その後、当該空気は、本体９に到達する。
【００２３】
その後、当該空気は、集塵部１３を通過する。この際、集塵部１３は、当該空気に含まれた塵埃を当該空気から分離する。その後、当該空気は、フィルタ部１４を通過する。この際、フィルタ部１４は、当該空気に含まれた細かい塵埃を当該空気から取り除く。その後、当該空気は、電動送風部１２を通過する。その後、当該空気は、排気部１５から本体９の外部に吹き出される。この際、格子部１６は、当該空気の吹き出し方向を変化させる。例えば、格子部１６は、当該空気の吹き出し方向がケース部１０の前方側かつ下方側となるようにする。
【００２４】
次に、図７から図９を用いて、スティック型掃除機としての掃除機３の利用方法を説明する。
図７はこの発明の実施の形態１における掃除機システムの掃除機の斜視図である。図８はこの発明の実施の形態１における掃除機システムの掃除機の側面図である。図９はこの発明の実施の形態１における掃除機システムの掃除機の要部の側面図である。
【００２５】
掃除機３がスティック型掃除機として利用される際、利用者は、ハンドル部１１の中間部を持つ。例えば、図７に示されるように、利用者は、管体８の長手方向が斜め方向となるようにして床面を掃除する。例えば、図８に示されるように、利用者は、本体９が上側に配置された状態で管体８の長手方向が水平方向となるようにして家具の下方の隙間を掃除する。例えば、図９に示されるように、利用者は、吸い込み具７が取り外された状態で管体８の長手方向が斜め方向となるようにして天井を掃除する。
【００２６】
次に、図１０を用いて、ハンディ型掃除機としての掃除機３の利用方法を説明する。
図１０はこの発明の実施の形態１における掃除機システムの掃除機の要部の側面図である。
【００２７】
掃除機３がハンディ型掃除機として利用される際、利用者は、ハンドル部１１の前端部の側を持つ。例えば、図１０に示されるように、利用者は、吸い込み具７と管体８とが取り外された状態で被掃除面を掃除する。
【００２８】
次に、図１１から図１４を用いて、ブロワーとしての掃除機３の利用方法を説明する。
図１１と図１２はこの発明の実施の形態１における掃除機システムの掃除機の斜視図である。図１３はこの発明の実施の形態１における掃除機システムの掃除機の要部の縦断面図である。図１４はこの発明の実施の形態１における掃除機システムの掃除機の要部の斜視図である。
【００２９】
図１１から図１３に示されるように、排気部１５は、ホース２０の一端部に対して着脱自在に設けられる。ホース２０は、図１１から図１３においては図示されない格子部１６が開いた状態において排気部１５に接続し得る。この際、ホース２０は、排気部１５に設けられた図示されないラッチにより排気部１５の接続を維持し得る。ホース２０は、中空状に形成される。例えば、ホース２０は、可撓性を有する。ホース２０が排気部１５に接続された際、ホース２０は、ハンドル部１１の前端部の延長線上に配置される。
【００３０】
当該空気が排気部１５から本体９の外部に吹き出された際、当該空気は、ホース２０の内部を通過する。その後、当該空気は、ホース２０の他端部から吹き出される。
【００３１】
掃除機３がブロワーとして利用される際、利用者は、ハンドル部１１とホース２０の他端部とを持つ。利用者は、ホース２０の他端部を対象面に向ける。その結果、空気が対象面の塵埃等を吹き飛ばす。
【００３２】
図１４に示されるように、排気部１５は、管体８に対しても着脱自在に設けられる。管体８は、格子部１６が開いた状態において排気部１５に接続し得る。この際、管体８は、排気部１５に設けられた図示されないラッチにより排気部１５の接続を維持し得る。管体８が排気部１５に接続された際、ホース２０は、管体８の前端部の延長線上に配置される。
【００３３】
管体８が排気部１５に取り付けられた状態で掃除機３がブロワーとして利用される際、利用者は、ハンドル部１１を持つ。利用者は、管体８の他端部を対象面に向ける。その結果、空気が対象面の塵埃等を吹き飛ばす。
【００３４】
以上で説明した実施の形態１によれば、ハンドル部１１は、ケース部１０の後端部から前端部にかけて連続的に形成される。例えば、ハンドル部１１の後端部と前端部とは平行である。例えば、ハンドル部１１の中間部は、ハンドル部１１の後端部と前端部とに対して湾曲して連結される。このため、掃除が行われる場面に応じて、適切な握り箇所を確保することができる。その結果、利用者は、掃除が行われる場面に応じて握りやすい個所を握ることができる。
【００３５】
なお、ハンドル部１１を可動するように形成しても、掃除が行われる場面に応じて、適切な握り箇所を確保することができる。これに対し、ハンドル部１１をケース部１０の後端部から前端部にかけて連続的に形成すれば、部品点数を増やすことなく、掃除が行われる場面に応じて、適切な握り箇所を確保することができる。
【００３６】
また、掃除機３を支持装置２に対して着脱する際は、ハンドル部１１の後端部を握ればよい。このため、掃除機３を支持装置２に対して容易に着脱することができる。
【００３７】
また、ハンドル部１１の前端部は、ケース部１０の前部に設けられた凸部に連結される。このため、ハンドル部１１は、ケース部１０に対して両端部を固定される。その結果、ハンドル部１１の強度を容易に確保することができる。
【００３８】
なお、ハンドル部１１の前端部において、ケース部１０の前部の側に突き出した凸部を設けてもよい。この際、ハンドル部１１の凸部をケース部１０に接触させなくともよい。この場合、ハンドル部１１の前端部の側から利用者の指が抜けることを抑制できる。
【００３９】
また、ハンドル部１１の前端部において、ケース部１０の前部の側とは反対側に突き出した凸部を設けてもよい。この場合、ハンドル部１１の前端部の側から利用者の指が抜けることを抑制できる。
【００４０】
また、ハンドル部１１の外周面を凹凸状に形成してもよい。この場合、ハンドル部１１を握りやすくすることができる。
【００４１】
また、操作部１７は、ケース部１０の天面に設けられる。このため、ハンドル部１１を握った状態での操作部１７の操作性を向上することができる。
【００４２】
また、集塵部１３は、電動送風部１２の下方に設けられる。集塵部１３の前方側の一部は、透明である。このため、利用者は、掃除を行っている際に集塵部１３の溜まった塵埃の量を確認することができる。さらに、集塵部１３の前方側の一部以外の少なくとも一部は、透明でない。このため、掃除機３が支持装置２に取り付けられた際に集塵部１３に溜まった塵埃を外部に対して見えにくくすることができる。
【００４３】
また、排気部１５は、ハンドル部１１の前端部に設けられる。このため、簡単な構成で掃除機３をブロワーとして利用することができる。
【００４４】
また、排気部１５は、ホース２０が接続し得るように形成される。このため、ホース２０を利用すれば、空気の吹き出し方向を容易に決めることができる。
【００４５】
また、排気部１５は、管体８が接続し得るように形成される。このため、管体８を利用すれば、空気の吹き出し方向を容易に決めることができる。
【００４６】
また、格子部１６は、排気部１５に対して開閉自在に設けられる。このため、掃除が行われる際の排気の風速と掃除機３がブロワーとして利用される際の排気の風速とを適切に調整することができる。
【００４７】
また、格子部１６は、閉じている状態において電動送風部１２からの空気の吹き出し方向がケース部１０の前方側かつ下方側となるように形成される。このため、排気の方向を床面からそらすことができる。さらに、排気を拡散させることで排気の風速を抑えることができる。
【００４８】
また、排気部１５は、格子部１６が開いた状態においてホース２０または管体８が接続し得るように形成される。このため、簡単な構成で、掃除が行われる際の排気の風速と掃除機３がブロワーとして利用される際の排気の風速とを適切に調整することができる。
【００４９】
また、紙パックで塵埃を捕集する掃除機３に対して実施の形態１のハンドル部１１を設けてもよい。この場合も、掃除が行われる場面に応じて、適切な握り箇所を確保することができる。さらに、簡単な構成で掃除機３をブロワーとして利用することができる。
【符号の説明】
【００５０】
１  掃除機システム、  ２  支持装置、  ３  掃除機、  ４  基体、  ５  支持体、  ６  保持体、  ７  吸い込み具、  ８  管体、  ９  本体、  １０  ケース部、  １１  ハンドル部、  １２  電動送風部、  １３  集塵部、  １４  フィルタ部、  １５  排気部、  １６  格子部、  １７  操作部、  １８  制御部、  １９  電源部
【図１】
2018108228.tif 000003
【図２】
2018108228.tif 000004
【図３】
2018108228.tif 000005
【図４】
2018108228.tif 000006
【図５】
2018108228.tif 000007
【図６】
2018108228.tif 000008
【図７】
2018108228.tif 000009
【図８】
2018108228.tif 000010
【図９】
2018108228.tif 000011
【図１０】
2018108228.tif 000012
【図１１】
2018108228.tif 000013
【図１２】
2018108228.tif 000014
【図１３】
2018108228.tif 000015
【図１４】
2018108228.tif 000016